(57)【要約】【課題】使用者がディスプレイに表示されるアイコンメニューを見てアイコン選択でき、親しみやすいアイコンメニュー形式でのアイコン選択のリモートコントロール操作を行えるアイコンインタフェースリモートコントロール装置の提供。【解決手段】アイコンインタフェースリモートコントロール装置はタッチパネル、押圧スイッチ、電源供給ユニット、電力制御回路及び無線発射回路にディスプレイが組み合わされてなる。【選択図】図１
2009223474.tif 000002
【特許請求の範囲】
【請求項１】
アイコンインタフェースリモートコントロール装置において、タッチパネル、押圧スイッチ、電源供給ユニット、電力制御回路及び無線発射回路に、ディスプレイが組み合わされてなり、
該タッチパネルは手指のタッチをセンスし並びにその位置を検出し、これによりシステムに作動させ、且つ該タッチパネル上にはシステム制御エリアによりディスプレイのアイコンに対応するエリアが区分され、
該押圧スイッチは、押圧入力の機能を実行し、
該電源供給ユニットは、該アイコンインタフェースリモートコントロール装置が必要とする電力を供給し、
該電力制御回路は、起動ユニットと自動停電ユニットを包含し、
該無線発射回路は、該無線発射回路を通して手指のタッチパネル上の位置座標と押圧スイッチの押圧命令を発送することを特徴とする、アイコンインタフェースリモートコントロール装置。
【請求項２】
請求項１記載のアイコンインタフェースリモートコントロール装置において、該押圧スイッチは該タッチパネルの下方に設けられ、該タッチパネルが押圧されることで、該押圧スイッチが起動することを特徴とする、アイコンインタフェースリモートコントロール装置。
【請求項３】
請求項１記載のアイコンインタフェースリモートコントロール装置において、該起動ユニットのトリガは押圧スイッチの押圧をその根拠とすることを特徴とする、アイコンインタフェースリモートコントロール装置。
【請求項４】
請求項１記載のアイコンインタフェースリモートコントロール装置において、該起動ユニットのトリガは設定時間以上手指がタッチパネルにタッチすることをその根拠とすることを特徴とする、アイコンインタフェースリモートコントロール装置。
【請求項５】
請求項１記載のアイコンインタフェースリモートコントロール装置において、該無線発射回路が赤外線発射回路であることを特徴とする、アイコンインタフェースリモートコントロール装置。
【請求項６】
請求項１記載のアイコンインタフェースリモートコントロール装置において、該無線発射回路がＦＭ発射回路であることを特徴とする、アイコンインタフェースリモートコントロール装置。
【請求項７】
請求項１記載のアイコンインタフェースリモートコントロール装置において、該無線発射回路がＡＭ発射回路であることを特徴とする、アイコンインタフェースリモートコントロール装置。
【請求項８】
請求項１記載のアイコンインタフェースリモートコントロール装置において、該無線発射回路がブルートゥース発射回路であることを特徴とする、アイコンインタフェースリモートコントロール装置。
【請求項９】
請求項１記載のアイコンインタフェースリモートコントロール装置において、該自動停電ユニットは、該自動停電ユニットが設定時間不使用であると、該アイコンインタフェースリモートコントロール装置の電源供給ユニットをシャットダウンすることを特徴とする、アイコンインタフェースリモートコントロール装置。
【請求項１０】
請求項１記載のアイコンインタフェースリモートコントロール装置において、該電源供給ユニットは、電池により電力を提供することを特徴とする、アイコンインタフェースリモートコントロール装置。
【発明の詳細な説明】
【技術分野】
【０００１】
本発明は一種のアイコンインタフェースリモートコントロール装置に係り、特にディスプレイに組み合わされて、使用者がディスプレイ上のアイコンメニューを見て、アイコン選択を行えるようにし、使用者に親しみやすいアイコンメニュー形式でのアイコン選択のリモートコントロール操作を行わせる、アイコンインタフェースリモートコントロール装置に関する。
【背景技術】
【０００２】
一般に電子商品の操作は、使用者の操作に便利なように、多くがリモートコントロール機能を具え、このためリモートコントローラーを使用しての遠隔操作が各種の電子商品に必須の機能となっており、電器の機能の複雑化に伴い、多くの電器製品機能は相当に多くなり、例えばＤＶＤ、ＭＰ３プレイヤー、カーナビゲーションシステム、デジタルテレビ等は、多機能を提供するためにリモートコントローラーのボタンが増加し、多くのものは更に複合ボタンを使用し、すなわち同一のボタンで異なる状態で異なる機能を操作できるものとされる。ただし、このようなリモートコントロール方式はその操作が相当に複雑であり、使用者の学習時間が引き延ばされ、このため大部分の使用者が一部の簡単な機能しか使用しないという事態をもたらす。
【０００３】
同様に複雑な機能を具えたコンピュータウインドウインタフェースは、使用者の学習を非常に容易とし、その理由は、現在のコンピュータウインドウインタフェースは、アイコンインタフェースを使用し、マウスカーソルをディスプレイ上の図形（アイコン）上に移動させると、文字説明が表示されることで、使用者の探索のステップを減らせるためである。
【０００４】
さらに、コンピュータの普及により、ほとんどの人はすでにアイコンインタフェース操作に慣れており、電器製品の操作をコンピュータの操作方式に類似となるよう設計すれば、使用者はより操作に慣れることができる。
【発明の開示】
【発明が解決しようとする課題】
【０００５】
本発明は一種のアイコンインタフェースリモートコントロール装置を提供することを目的とし、それは、ディスプレイに組み合わされて、使用者がディスプレイ上のアイコンメニューを見て、アイコン選択を行えるようにし、使用者に親しみやすいアイコンメニュー形式でのアイコン選択のリモートコントロール操作を行わせられるものとする。
【課題を解決するための手段】
【０００６】
本発明のアイコンインタフェースリモートコントロール装置は、タッチパネル、押圧スイッチ、電源供給ユニット、電力制御回路及び無線発射回路に、ディスプレイが組み合わされてなり、
該タッチパネルは手指のタッチをセンスし並びにその位置を検出し、これによりシステムに作動させ、且つ該タッチパネル上にはシステム制御エリアによりディスプレイのアイコンに対応するエリアが区分され、
該押圧スイッチは、押圧入力の機能を実行し、
該電源供給ユニットは、該アイコンインタフェースリモートコントロール装置が必要とする電力を供給し、
該電力制御回路は、起動ユニットと自動停電ユニットを包含し、
該無線発射回路は、該無線発射回路を通して手指のタッチパネル上の位置座標と押圧スイッチの押圧命令を発送する。
【発明の効果】
【０００７】
本発明のアイコンインタフェースリモートコントロール装置は親しみやすいアイコンメニュー形式でのアイコン選択のリモートコントロール操作を行え、使用者の探索の時間を短縮し、ゆえに、本発明は実用性と進歩性を有している。
【発明を実施するための最良の形態】
【０００８】
図１、２に示されるように、本発明のアイコンインタフェースリモートコントロール装置１は、タッチパネル１１、押圧スイッチ１２、電源供給ユニット１３、電力制御回路１４及び無線発射回路１５にディスプレイ２が組み合わされてなる。
【０００９】
該タッチパネル１１は手指のタッチをセンスし並びにその位置を検出し、これによりシステムを作動させ、且つ該タッチパネル１１上にはシステム制御エリアによりディスプレイ２のアイコンに対応するエリアが区分されている。
【００１０】
該押圧スイッチ１２は、押圧入力の機能を実行する。
【００１１】
該電源供給ユニット１３は、一つ以上の電池が設置され、並びに電力を供給する。
【００１２】
該電力制御回路１４は、少なくとも一つの起動ユニット１４１と一つの自動停電ユニット１４２を包含し、該起動ユニット１４１は、該アイコンインタフェースリモートコントロール装置が平時に節電の状態にある時に、使用者が該起動ユニット１４１を起動する時に、該アイコンインタフェースリモートコントロール装置１の電源供給ユニット１３を起動でき、この起動ユニット１４１は押圧スイッチ１２により起動を実行するほか、長時間の手指のタッチパネル１１への接触も起動の根拠となす。該自動停電ユニット１４２は本発明の装置が所定時間使用されなかった時に、該自動停電ユニット１４２が該アイコンインタフェースリモートコントロール装置１の電源供給ユニット１３をシャットダウンする。
【００１３】
該無線発射回路１５は、該無線発射回路１５を通して手指のタッチパネル１１の位置座標と押圧スイッチ１２の押圧命令を発送し、該無線発射回路１５は赤外線発射回路、ＦＭ／ＡＭ発射回路或いはブルートゥース発射回路とされ得る。
【００１４】
上述のユニットで構成され、図２に示されるように、該タッチパネル１１上の位置１１１、１１２、１１３、１１４はディスプレイ２上に表示されるアイコン２１、２２、２３、２４に対応し、使用者はディスプレイ２に表示されたアイコン２１、２２、２３、２４により、手指でタッチパネル１１の対応位置１１１、１１２、１１３、１１４をタッチすることで、ディスプレイ２上に表示されたアイコン２１、２２、２３、２４上を移動し、更に、押圧スイッチ１２を押圧することによりアイコン選択確定し、こうして完全にリモートコントロール装置１上で必要な設定を探す必要をなくし、ただインタラクティブな方式でディスプレイの表示アイコンを見て操作の設定を行える。
【００１５】
図３に示されるように、該押圧スイッチ１２は、該タッチパネル１１の下方に設けられ、該タッチパネル１１に接触する時に該押圧スイッチ１２が起動される。
【図面の簡単な説明】
【００１６】
【図１】本発明のブロック図である。
【図２】本発明の実施例表示図である。
【図３】本発明の押圧スイッチの実施例表示図である。
【符号の説明】
【００１７】
１  アイコンインタフェースリモートコントロール装置
１１  タッチパネル
１２  押圧スイッチ
１３  電源供給ユニット
１４  電力制御回路
１４１  起動ユニット
１４２  自動停電ユニット
１５  無線発射回路
【図１】
2009223474.tif 000003
【図２】
2009223474.tif 000004
【図３】
2009223474.tif 000005